(57)【特許請求の範囲】
【請求項１】
互いに対向する画素電極及び対向電極間に電気泳動粒子を含む電気光学物質を夫々有する複数の画素からなる表示部と、前記複数の画素の各々の前記画素電極にデータ電位を供給する駆動部とを備えた電気泳動表示装置を制御する制御方法であって、
前記表示部に表示されている画像を、第１階調で表示された第１画像から、前記第１階調で表示されるべき背景画像部分と前記第１階調と異なる第２階調で表示されるべき本体画像部分とを含む第２画像へ書き換える際、前記背景画像部分に対応する前記画素の前記画素電極に前記データ電位として前記対向電極と同一の電位が供給されるとともに、前記本体画像部分に対応する前記画素の前記画素電極に前記データ電位として前記第２階調に対応する電位が供給されるように、前記駆動部を制御する制御工程を含み、
前記制御工程では、前記本体画像部分における輪郭部に対応する前記画素及び前記本体画像部分における前記輪郭部を除く非輪郭部に対応する前記画素に電圧印加を開始する第１ステップと、前記第１ステップから所定期間後、前記輪郭部に対応する画素への電圧印加を終了する第２ステップと、前記第２ステップから所定期間後、前記非輪郭部に対応する画素への電圧印加を終了する第３ステップと、を行なうよう前記駆動部を制御する
ことを特徴とする電気泳動表示装置の制御方法。
【請求項２】
前記第２階調は、複数の階調からなり、
前記制御工程は、前記輪郭部に対応する前記画素に表示すべき階調と前記第１階調との階調差に基づいて、前記輪郭部に対応する画素における前記画素電極及び前記対向電極間に印加される電圧の大きさ及び印加時間の少なくとも一方の値を決定することを特徴とする請求項１に記載の電気泳動表示装置の制御方法。
【請求項３】
前記階調差が第１の値であるとき、前記階調差が第１の値より小さい第２の値であるときより、前記画素電極及び前記対向電極間に印加される電圧の大きさ及び印加時間の少なくとも一方が小さくなるように、前記駆動部を制御することを特徴とする請求項２に記載の電気泳動表示装置の制御方法。
【請求項４】
互いに対向する画素電極及び対向電極間に電気泳動粒子を含む電気光学物質を夫々有する複数の画素からなる表示部と、前記複数の画素の各々の前記画素電極にデータ電位を供給する駆動部とを備えた電気泳動表示装置を制御する制御装置であって、
前記表示部に表示されている画像を、第１階調で表示された第１画像から、前記第１階調で表示されるべき背景画像部分と前記第１階調と異なる第２階調で表示されるべき本体画像部分とを含む第２画像へ書き換える際、前記背景画像部分に対応する前記画素の前記画素電極に前記データ電位として前記対向電極と同一の電位が供給されるとともに、前記本体画像部分に対応する前記画素の前記画素電極に前記データ電位として前記第２階調に対応する電位が供給されるように、前記駆動部を制御する制御手段を備え、
前記制御手段では、前記本体画像部分における輪郭部に対応する前記画素及び前記本体画像部分における前記輪郭部を除く非輪郭部に対応する前記画素に電圧印加を開始する第１ステップと、前記第１ステップから所定期間後、前記輪郭部に対応する画素への電圧印加を終了する第２ステップと、前記第２ステップから所定期間後、前記非輪郭部に対応する画素への電圧印加を終了する第３ステップと、を行なうよう前記駆動部を制御する
ことを特徴とする電気泳動表示装置の制御装置。
【請求項５】
請求項４に記載の電気泳動表示装置の制御装置を備え、
前記複数の画素の各々は、画素スイッチング用トランジスターと、保持容量と、を有することを特徴とする電気泳動表示装置。
【請求項６】
請求項５に記載の電気泳動表示装置を備えることを特徴とする電子機器。
【発明の詳細な説明】
【技術分野】
【０００１】
本発明は、例えば電気泳動表示装置等の電気光学装置の制御方法、電気光学装置の制御装置、電気光学装置、及び電子機器の技術分野に関する。
【背景技術】
【０００２】
この種の電気光学装置の一例として、電気泳動粒子を含む電気泳動素子を挟んで対向する画素電極及び対向電極間に電圧を印加して、例えば黒色粒子及び白色粒子等の電気泳動粒子を移動させることで表示部に画像を表示する電気泳動表示装置がある（例えば特許文献１参照）。なお、対向電極は、共通電極と呼ばれることもある。
【０００３】
このような電気泳動表示装置では、表示部に表示されている画像を書き換える際、画像が部分的にしか変化しない場合には、変化する部分に対応する画素のみにおける画素電極及び対向電極間に、表示すべき階調に応じた駆動電圧を印加することにより、画像を部分的に書き換える駆動方法（以下「部分書き換え駆動」と適宜称する）が採用されることがある。
【先行技術文献】
【特許文献】
【０００４】
【特許文献１】特許第４５５７０６８号公報
【発明の概要】
【発明が解決しようとする課題】
【０００５】
前述したような部分書き換え駆動が採用された電気泳動表示装置では、画素電極及び対向電極間に駆動電圧が印加される一の画素（即ち、階調を変化させるべき画素）の電気的影響が、該一の画素と隣り合う、駆動電圧が印加されない他の画素（即ち、階調を変化させない画素）に及んでしまい、該他の画素の階調が変化してしまうおそれがある。即ち、階調を変化させるべき一の画素における画素電極及び対向電極間に駆動電圧が印加されることにより生じる電界が、該一の画素と隣り合う、階調を維持させるべき他の画素における画素電極及び対向電極間の一部にも広がり、この電界によって該他の画素における電気泳動粒子が移動してしまい、階調が変化してしまうおそれがある。よって、例えば表示部に表示すべき画像よりも輪郭の広い画像が表示されてしまうなど、表示すべき画像が適切に表示されないおそれがあるという技術的問題点がある。
【０００６】
本発明は、例えば前述した問題点に鑑みなされたものであり、例えば画像の広がりを抑制でき、高品質な画像を表示可能な電気光学装置の制御方法、電気光学装置の制御装置、電気光学装置、及び電子機器を提供することを課題とする。
【課題を解決するための手段】
【０００７】
本発明に係る電気光学装置の制御方法は上記課題を解決するために、互いに対向する画素電極及び対向電極間に電気光学物質を夫々有する複数の画素からなる表示部と、前記複数の画素の各々の前記画素電極にデータ電位を供給する駆動部とを備えた電気光学装置を制御する制御方法であって、前記表示部に表示されている画像を、第１階調で表示された第１画像から、前記第１階調で表示されるべき背景画像部分と前記第１階調と異なる第２階調で表示されるべき本体画像部分とを含む第２画像へ書き換える際、前記背景画像部分に対応する前記画素の前記画素電極に前記データ電位として前記対向電極と同一の電位が供給されるとともに、前記本体画像部分に対応する前記画素の前記画素電極に前記データ電位として前記第２階調に対応する電位が供給されるように、前記駆動部を制御する制御工程を含み、該制御工程は、前記本体画像部分における輪郭部に対応する前記画素のほうが、前記本体画像部分における前記輪郭部を除く非輪郭部に対応する前記画素よりも、前記画素電極及び前記対向電極間に印加される電圧の大きさ及び印加時間の少なくとも一方が小さくなるように、前記駆動部を制御する。
【０００８】
本発明に係る電気光学装置の制御方法によって制御される電気光学装置は、例えばアクティブマトリクス駆動方式の電気泳動表示装置などであり、例えばマトリクス状に配列された複数の画素からなる表示部と、各画素の画素電極に例えば画像データに応じたデータ電位を供給する駆動部とを備える。駆動部が、複数の画素の各々における画素電極にデータ電位を供給することにより、表示部に例えば画像データに応じた画像が表示される。
【０００９】
本発明に係る電気光学装置の制御方法によれば、表示部に表示されている画像を、第１階調（例えば白色）で表示された第１画像（例えば全白画像）から、第１階調で表示されるべき背景画像部分と第１階調と異なる第２階調（例えば黒色）で表示されるべき本体画像部分とを含む第２画像へ書き換える際、制御工程は、背景画像部分に対応する画素の画素電極にデータ電位として対向電極と同一の電位が供給されるとともに、本体画像部分に対応する画素の画素電極にデータ電位として第２階調に対応する電位が供給されるように、駆動部を制御する。即ち、本発明では、表示部に表示されている画像を第１画像から第２画像へ書き換える際、第２画像の背景画像部分に対応する画素（即ち、階調を第１階調のままで変化させない画素）の画素電極及び対向電極間に電圧が印加されず、第２画像の本体画像部分に対応する画素（即ち、階調を第１階調から第２階調へ変化させるべき画素）の画素電極及び対向電極間に第２階調に対応する電圧が印加されるように、駆動部が制御される。
【００１０】
本発明では特に、制御工程は、本体画像部分における輪郭部に対応する画素のほうが、本体画像部分における輪郭部を除く非輪郭部に対応する画素よりも、画素電極及び対向電極間に印加される電圧の大きさ及び印加時間の少なくとも一方が小さくなるように、駆動部を制御する。ここで、本発明に係る「輪郭部」は、本体画像部分のうち、当該本体画像部分の輪郭の少なくとも一部をなす、所定幅（例えば一画素の大きさに対応する幅や二画素の大きさに対応する幅）を有する部分を意味する。本発明に係る「非輪郭部」は、本体画像部分のうち輪郭部を除く部分を意味し、典型的には、輪郭部によって取り囲まれる。
【００１１】
ここで、例えば仮に、何らの対策も施さず、本体画像部分の非輪郭部と輪郭部とで画素電極及び対向電極間に印加される電圧の大きさ及び印加時間が同じである場合には、本体画像部分の輪郭部に対応する一の画素における画素電極及び対向電極間に電圧が印加されることにより生じる電界が、該一の画素と隣り合う、背景画像部分に対応する他の画素（即ち、階調を第１階調のままで変化させない画素であり、電圧が印加されない画素）における画素電極及び対向電極間の一部にも広がってしまうことにより、該他の画素の階調が変化してしまうおそれがある。このため、例えば表示部に表示すべき画像よりも輪郭の広い画像が表示されてしまうなど、表示すべき画像が適切に表示されないおそれがある。
【００１２】
しかるに本発明によれば、本体画像部分の輪郭部に対応する画素における画素電極及び対向電極間に印加される電圧は、本体画像部分の非輪郭部に対応する画素における画素電極及び対向電極間に印加される電圧よりも、電圧の大きさ及び印加時間の少なくとも一方が小さいので、本体画像部分の輪郭部に対応する画素における画素電極及び対向電極間に電圧が印加されることにより生じる電界が、背景画像部分に対応する画素における画素電極及び対向電極間に広がることを抑制でき、背景画像部分に対応する画素の階調が変化してしまうことを抑制或いは防止できる。よって、例えば本体画像部分の輪郭が広がったような画像が表示されてしまうこと（即ち、画像の広がりが発生すること）を抑制或いは防止できる。したがって、高品質な画像を表示することができる。
【００１３】
以上説明したように、本発明に係る電気光学装置の制御方法によれば、本体画像部分の輪郭部に対応する画素に生じる電界が、背景画像部分に対応する画素に広がることを抑制でき、背景画像部分に対応する画素の階調が変化してしまうことを抑制或いは防止できる。よって、例えば画像の広がりを抑制でき、高品質な画像を表示することが可能となる。
【００１４】
本発明に係る電気光学装置の制御方法の一態様では、前記第２階調は、複数の階調からなり、前記制御工程は、前記輪郭部に対応する前記画素に表示すべき階調と前記第１階調との階調差に基づいて、前記輪郭部に対応する画素における前記画素電極及び前記対向電極間に印加される電圧の大きさ及び印加時間の少なくとも一方の値を決定する。
【００１５】
この態様によれば、本体画像部分は、複数の階調を含む多階調画像として表示される。この態様では特に、制御工程は、輪郭部に対応する画素に表示すべき階調と第１階調との階調差に基づいて、輪郭部に対応する画素における画素電極及び対向電極間に印加される電圧の大きさ及び印加時間の少なくとも一方の値を決定する。よって、多階調画像として表示される本体画像部分の輪郭部に対応する画素に生じる電界が、背景画像部分に対応する画素に広がることを抑制でき、背景画像部分に対応する画素の階調が変化してしまうことを抑制或いは防止できる。したがって、高品位な多階調画像を表示することが可能となる。
【００１６】
本発明に係る電気光学装置の制御装置は上記課題を解決するために、互いに対向する画素電極及び対向電極間に電気光学物質を夫々有する複数の画素からなる表示部と、前記複数の画素の各々の前記画素電極にデータ電位を供給する駆動部とを備えた電気光学装置を制御する制御装置であって、前記表示部に表示されている画像を、第１階調で表示された第１画像から、前記第１階調で表示されるべき背景画像部分と前記第１階調と異なる第２階調で表示されるべき本体画像部分とを含む第２画像へ書き換える際、前記背景画像部分に対応する前記画素の前記画素電極に前記データ電位として前記対向電極と同一の電位が供給されるとともに、前記本体画像部分に対応する前記画素の前記画素電極に前記データ電位として前記第２階調に対応する電位が供給されるように、前記駆動部を制御する制御手段を備え、該制御手段は、前記本体画像部分における輪郭部に対応する前記画素のほうが、前記本体画像部分における前記輪郭部を除く非輪郭部に対応する前記画素よりも、前記画素電極及び前記対向電極間に印加される電圧の大きさ及び印加時間の少なくとも一方が小さくなるように、前記駆動部を制御する。
【００１７】
本発明に係る電気光学装置の制御装置によれば、前述した本発明に係る電気光学装置の制御方法と同様に、電気光学装置において、本体画像部分の輪郭部に対応する画素に生じる電界が、背景画像部分に対応する画素に広がることを抑制でき、背景画像部分に対応する画素の階調が変化してしまうことを抑制或いは防止できる。よって、高品質な画像を表示することが可能となる。
【００１８】
なお、本発明に係る電気光学装置の制御装置においても、前述した本発明に係る電気光学装置の制御方法における各種態様と同様の各種態様を採ることが可能である。
【００１９】
本発明に係る電気光学装置は上記課題を解決するために、前述した本発明に係る電気光学装置の制御装置（但し、その各種態様も含む）を備える。
【００２０】
本発明に係る電気光学装置によれば、前述した本発明に係る電気光学装置の制御装置を備えるので、本体画像部分の輪郭部に対応する画素に生じる電界が、背景画像部分に対応する画素に広がることを抑制でき、背景画像部分に対応する画素の階調が変化してしまうことを抑制或いは防止できる。よって、高品質な画像を表示することが可能となる。
【００２１】
本発明に係る電子機器は上記課題を解決するために、前述した本発明に係る電気光学装置（但し、その各種態様も含む）を備える。
【００２２】
本発明に係る電子機器によれば、前述した本発明に係る電気光学装置を備えるので、高品質な画像を表示することが可能な、例えば、腕時計、電子ペーパー、電子ノート、携帯電話、携帯用オーディオ機器などの各種電子機器を実現できる。
【００２３】
本発明の作用及び他の利得は次に説明する発明を実施するための形態から明らかにされる。
【図面の簡単な説明】
【００２４】
【図１】第１実施形態に係る電気泳動表示装置の全体構成を示すブロック図である。
【図２】第１実施形態に係る電気泳動表示装置の画素の電気的な構成を示す等価回路図である。
【図３】第１実施形態に係る電気泳動表示装置の表示部の部分断面図である。
【図４】書き換え前の画像と書き換え後の画像の一例を示す平面図である。
【図５】第１実施形態における、表示部に表示される画像を書き換える画像書き換えの流れを示すフローチャートである。
【図６】画像書き換え後の画像の本体画像部分について設定される輪郭部及び非輪郭部の一例を示す平面図である。
【図７】輪郭部及び非輪郭部と表示部の複数の画素との対応関係の一例を示す平面図である。
【図８】第１実施形態における、書き換え後の画像の背景画像部分、輪郭部及び非輪郭部の各々について、対応する画素の画素電極の電位の変化を示すタイミングチャートである。
【図９】第２実施形態における、表示部に表示される画像を書き換える画像書き換えの流れを示すフローチャートである。
【図１０】第２実施形態における、書き換え後の画像の背景画像部分、輪郭部及び非輪郭部の各々について、対応する画素の画素電極の電位の変化を示すタイミングチャートである。
【図１１】書き換え後の４階調画像の一部に対応する画素の階調の一例を示す模式図である。
【図１２】第３実施形態に係る、階調差と電圧印加時間とが対応づけられた参照テーブルを概念的に示す概念図である。
【図１３】電気光学装置を適用した電子機器の一例たる電子ペーパーの構成を示す斜視図である。
【図１４】電気光学装置を適用した電子機器の一例たる電子ノートの構成を示す斜視図である。
【発明を実施するための形態】
【００２５】
以下では、本発明の実施形態について図を参照しつつ説明する。以下の実施形態では、本発明に係る電気光学装置の一例である電気泳動表示装置を例にとる。
【００２６】
＜第１実施形態＞
第１実施形態に係る電気泳動表示装置について、図１から図８を参照して説明する。
【００２７】
まず、本実施形態に係る電気泳動表示装置の全体構成について、図１及び図２を参照して説明する。
【００２８】
図１は、本実施形態に係る電気泳動表示装置の全体構成を示すブロック図である。
【００２９】
図１において、本実施形態に係る電気泳動表示装置１は、アクティブマトリクス駆動方式の電気泳動表示装置であり、表示部３と、コントローラー１０と、走査線駆動回路６０と、データ線駆動回路７０と、フレームメモリー２１０と、共通電位供給回路２２０とを備えている。なお、コントローラー１０が本発明に係る「電気光学装置の制御装置」の一例である。また、走査線駆動回路６０、データ線駆動回路７０及び共通電位供給回路２２０が本発明に係る「駆動部」の一例を構成する。以下、走査線駆動回路６０、データ線駆動回路７０及び共通電位供給回路２２０を「駆動部」と適宜総称する。
【００３０】
表示部３には、ｍ行×ｎ列分の画素２０がマトリクス状（二次元平面的）に配列されている。また、表示部３には、ｍ本の走査線４０（即ち、走査線Ｙ１、Ｙ２、…、Ｙｍ）と、ｎ本のデータ線５０（即ち、データ線Ｘ１、Ｘ２、…、Ｘｎ）とが互いに交差するように設けられている。具体的には、ｍ本の走査線４０は、行方向（即ち、Ｘ方向）に延在し、ｎ本のデータ線５０は、列方向（即ち、Ｙ方向）に延在している。ｍ本の走査線４０とｎ本のデータ線５０との交差に対応して画素２０が配置されている。
【００３１】
コントローラー１０は、走査線駆動回路６０、データ線駆動回路７０及び共通電位供給回路２２０の動作を制御する。コントローラー１０は、例えば、クロック信号、スタートパルス等のタイミング信号を各回路に供給する。
【００３２】
走査線駆動回路６０は、コントローラー１０による制御下で、所定のフレーム期間中に、走査線Ｙ１、Ｙ２、…、Ｙｍの各々に走査信号をパルス的に順次供給する。
【００３３】
データ線駆動回路７０は、コントローラー１０による制御下で、データ線Ｘ１、Ｘ２、…、Ｘｎにデータ電位を供給する。データ電位は、基準電位ＶＭ（例えば０ボルト）、高電位ＶＨ（例えば＋１５ボルト）又は低電位ＶＬ（例えば−１５ボルト）のいずれかの電位をとる。なお、後述するように、本実施形態では、前述した部分書き換え駆動が採用されている。
【００３４】
フレームメモリー２１０は、画像データを一時的に記憶可能なメモリーである。
【００３５】
共通電位供給回路２２０は、共通電位線９３に共通電位Ｖｃｏｍ（本実施形態では、基準電位ＶＭと同一の電位）を供給する。なお、共通電位Ｖｃｏｍは、共通電位Ｖｃｏｍが供給された対向電極２２と基準電位ＶＭが供給された画素電極２１との間に電圧が実質的に生じない範囲内で、基準電位ＶＭとは異なる電位であってもよい。
【００３６】
なお、コントローラー１０、走査線駆動回路６０、データ線駆動回路７０及び共通電位供給回路２２０には、各種の信号が入出力されるが、本実施形態と特に関係のないものについては説明を省略する。
【００３７】
図２は、画素２０の電気的な構成を示す等価回路図である。
【００３８】
図２において、画素２０は、画素スイッチング用トランジスター２４と、画素電極２１と、対向電極２２と、電気泳動素子２３と、保持容量２７とを備えている。
【００３９】
画素スイッチング用トランジスター２４は、例えばＮ型トランジスターで構成されている。画素スイッチング用トランジスター２４は、そのゲートが走査線４０に電気的に接続されており、そのソースがデータ線５０に電気的に接続されており、そのドレインが画素電極２１及び保持容量２７に電気的に接続されている。画素スイッチング用トランジスター２４は、データ線駆動回路７０（図１参照）からデータ線５０を介して供給されるデータ電位を、走査線駆動回路６０（図１参照）から走査線４０を介してパルス的に供給される走査信号に応じたタイミングで、画素電極２１及び保持容量２７に出力する。
【００４０】
画素電極２１には、データ線駆動回路７０からデータ線５０及び画素スイッチング用トランジスター２４を介して、データ電位が供給される。画素電極２１は、電気泳動素子２３を介して対向電極２２と互いに対向するように配置されている。
【００４１】
対向電極２２は、共通電位Ｖｃｏｍが供給される共通電位線９３に電気的に接続されている。
【００４２】
電気泳動素子２３は、電気泳動粒子をそれぞれ含んでなる複数のマイクロカプセルから構成されている。
【００４３】
保持容量２７は、誘電体膜を介して対向配置された一対の電極からなり、一方の電極が、画素電極２１及び画素スイッチング用トランジスター２４に電気的に接続され、他方の電極が共通電位線９３に電気的に接続されている。保持容量２７によってデータ電位を一定期間だけ維持することができる。
【００４４】
次に、本実施形態に係る電気泳動表示装置の表示部の具体的な構成について、図３を参照して説明する。
【００４５】
図３は、電気泳動表示装置１の表示部３の部分断面図である。
【００４６】
図３において、表示部３は、素子基板２８と対向基板２９との間に電気泳動素子２３が挟持される構成となっている。なお、本実施形態では、対向基板２９側に画像を表示することを前提として説明する。
【００４７】
素子基板２８は、例えばガラスやプラスチック等からなる基板である。素子基板２８上には、ここでは図示を省略するが、図２を参照して前述した画素スイッチング用トランジスター２４、保持容量２７、走査線４０、データ線５０、共通電位線９３等が作り込まれた積層構造が形成されている。この積層構造の上層側に複数の画素電極２１がマトリクス状に設けられている。
【００４８】
対向基板２９は、例えばガラスやプラスチック等からなる透明な基板である。対向基板２９における素子基板２８との対向面上には、対向電極２２が複数の画素電極２１と対向してベタ状に形成されている。対向電極２２は、例えばマグネシウム銀（ＭｇＡｇ）、インジウム・スズ酸化物（ＩＴＯ）、インジウム・亜鉛酸化物（ＩＺＯ）等の透明導電材料から形成されている。
【００４９】
電気泳動素子２３は、電気泳動粒子をそれぞれ含んでなる複数のマイクロカプセル８０から構成されており、例えば樹脂等からなるバインダー３０及び接着層３１によって素子基板２８及び対向基板２９間で固定されている。なお、本実施形態に係る電気泳動表示装置１は、製造プロセスにおいて、電気泳動素子２３が予め対向基板２９側にバインダー３０によって固定されてなる電気泳動シートが、別途製造された、画素電極２１等が形成された素子基板２８側に接着層３１によって接着されて構成されている。
【００５０】
マイクロカプセル８０は、画素電極２１及び対向電極２２間に挟持され、１つの画素２０内に（言い換えれば、１つの画素電極２１に対して）１つ又は複数配置されている。
【００５１】
マイクロカプセル８０は、被膜８５の内部に分散媒８１と、複数の白色粒子８２と、複数の黒色粒子８３とが封入されてなる。マイクロカプセル８０は、例えば、５０ｕｍ程度の粒径を有する球状に形成されている。
【００５２】
被膜８５は、マイクロカプセル８０の外殻として機能し、ポリメタクリル酸メチル、ポリメタクリル酸エチル等のアクリル樹脂、ユリア樹脂、アラビアガム、ゼラチン等の透光性を有する高分子樹脂から形成されている。
【００５３】
分散媒８１は、白色粒子８２及び黒色粒子８３をマイクロカプセル８０内（言い換えれば、被膜８５内）に分散させる媒質である。分散媒８１としては、水や、メタノール、エタノール、イソプロパノール、ブタノール、オクタノール、メチルセルソルブ等のアルコール系溶媒、酢酸エチル、酢酸ブチル等の各種エステル類、アセトン、メチルエチルケトン、メチルイソブチルケトン等のケトン類、ペンタン、ヘキサン、オクタン等の脂肪族炭化水素、シクロヘキサン、メチルシクロヘキサン等の脂環式炭化水素、ベンゼン、トルエンや、キシレン、ヘキシルベンゼン、へブチルベンゼン、オクチルベンゼン、ノニルベンゼン、デシルベンゼン、ウンデシルベンゼン、ドデシルベンゼン、トリデシルベンゼン、テトラデシルベンゼン等の長鎖アルキル基を有するベンゼン類等の芳香族炭化水素、塩化メチレン、クロロホルム、四塩化炭素、１、２−ジクロロエタン等のハロゲン化炭化水素、カルボン酸塩やその他の油類を単独で又は混合して用いることができる。また、分散媒８１には、界面活性剤が配合されてもよい。
【００５４】
白色粒子８２は、例えば、二酸化チタン、亜鉛華（酸化亜鉛）、三酸化アンチモン等の白色顔料からなる粒子（高分子或いはコロイド）であり、例えば負に帯電されている。
【００５５】
黒色粒子８３は、例えば、アニリンブラック、カーボンブラック等の黒色顔料からなる粒子（高分子或いはコロイド）であり、例えば正に帯電されている。
【００５６】
このため、白色粒子８２及び黒色粒子８３は、画素電極２１と対向電極２２との間の電位差によって発生する電場によって、分散媒８１中を移動することができる。
【００５７】
これらの顔料には、必要に応じ、電解質、界面活性剤、金属石鹸、樹脂、ゴム、油、ワニス、コンパウンド等の粒子からなる荷電制御剤、チタン系カップリング剤、アルミニウム系カップリング剤、シラン系カップリング剤等の分散剤、潤滑剤、安定化剤等を添加することができる。
【００５８】
図３において、画素電極２１と対向電極２２との間に、相対的に対向電極２２の電位が高くなるように電圧が印加された場合には、正に帯電された黒色粒子８３はクーロン力によってマイクロカプセル８０内で画素電極２１側に引き寄せられるとともに、負に帯電された白色粒子８２はクーロン力によってマイクロカプセル８０内で対向電極２２側に引き寄せられる。この結果、マイクロカプセル８０内の表示面側（即ち、対向電極２２側）には白色粒子８２が集まることになり、表示部３の表示面にはこの白色粒子８２の色（即ち、白色）が表示されることとなる。逆に、画素電極２１と対向電極２２との間に、相対的に画素電極２１の電位が高くなるように電圧が印加された場合には、負に帯電された白色粒子８２がクーロン力によって画素電極２１側に引き寄せられるとともに、正に帯電された黒色粒子８３はクーロン力によって対向電極２２側に引き寄せられる。この結果、マイクロカプセル８０の表示面側には黒色粒子８３が集まることになり、表示部３の表示面にはこの黒色粒子８３の色（即ち、黒色）が表示されることとなる。
【００５９】
なお、白色粒子８２、黒色粒子８３に用いる顔料を、例えば赤色、緑色、青色等の顔料に代えることによって、赤色、緑色、青色等を表示することができる。
【００６０】
次に、本実施形態に係る電気泳動表示装置の制御方法について、図４から図７を参照して説明する。以下では、図４に示すように、表示部３に表示される画像が、画像Ｐ１から画像Ｐ２に書き換えられる場合を例にとりながら、前述した電気泳動表示装置１の制御方法について説明する。
【００６１】
図４は、書き換え前の画像Ｐ１と書き換え後の画像Ｐ２の一例を示す平面図である。
【００６２】
図４に示すように、画像Ｐ１は、白色のみからなる全白画像である。画像Ｐ２は、黒色及び白色の２階調からなる２階調画像であり、白色を有する背景画像部分Ｒｗと、黒色を有する本体画像部分Ｒｂとを有している。
【００６３】
本実施形態では、前述した部分書き換え駆動が採用されている。即ち、本実施形態では、表示部３に表示された画像を、画像Ｐ１から画像Ｐ２に書き換える場合、階調を白色から黒色に変化させるべき画素２０（即ち、本体画像部分Ｒｂに対応する画素２０）については、画素電極２１にデータ電位として高電位ＶＨが供給され、階調を変化させない（即ち、階調を白色のまま維持すべき）画素２０（即ち、背景画像部分Ｒｗに対応する画素２０）については、画素電極２１にデータ電位として基準電位ＶＭが供給される。これにより、階調を白色から黒色に変化させるべき、本体画像部分Ｒｂに対応する画素２０では、表示面側（即ち、対向電極２２側）に黒色粒子８３が集まって黒色が表示され、階調を変化させない、背景画像部分Ｒｗに対応する画素２０では、白色粒子８２及び黒色粒子８３はほとんど或いは全く移動せず、階調が白色のまま維持される。
【００６４】
図５は、表示部３に表示される画像を、画像Ｐ１から画像Ｐ２に書き換える画像書き換えの流れを示すフローチャートである。
【００６５】
図５において、まず、画像データがフレームメモリー２１０（図２参照）に格納される（ステップＳ１０）。コントローラー１０は、例えば外部から供給される画像Ｐ２の画像データをフレームメモリー２１０に一時的に保存する。ここで、画像データは、背景画像部分Ｒｗに対応する画像データと本体画像部分Ｒｂに対応する画像データを含んでおり、このうち本体画像部分Ｒｂに対応する画像データは、後述する輪郭部の画像データと非輪郭部の画像データとを含んでいる。
【００６６】
次に、画像Ｐ２の本体画像部分Ｒｂについて輪郭部及び非輪郭部を抽出する（ステップＳ１１）。即ち、コントローラー１０は、フレームメモリー２１０に保存された画像Ｐ２の画像データに基づいて、本体画像部分Ｒｂのうちの一部分を輪郭部Ｒｂ１（図６及び図７参照）として設定し、本体画像部分Ｒｂのうちの、輪郭部Ｒｂ１として設定した部分を除く部分を非輪郭部Ｒｂ２（図６及び図７参照）として設定する。
【００６７】
図６は、画像Ｐ２の本体画像部分Ｒｂについて設定される輪郭部Ｒｂ１及び非輪郭部Ｒｂ２を示す平面図である。図７は、輪郭部Ｒｂ１及び非輪郭部Ｒｂ２と表示部３の複数の画素２０との対応関係を示す平面図である。
【００６８】
図６及び図７に示すように、コントローラー１０は、本体画像部分Ｒｂのうち当該画像本体部Ｒｂの輪郭をなす部分を輪郭部Ｒｂ１として設定し、本体画像部分Ｒｂのうち輪郭部Ｒｂ１を除く部分を非輪郭部Ｒｂ２として設定する。輪郭部Ｒｂ１は、画像本体部Ｒｂの輪郭を含んでおり、一画素の大きさ（即ち、画素２０の一つ分の大きさ）に対応する幅を有している。
【００６９】
図５において、輪郭部及び非輪郭部が抽出された（ステップＳ１１）後、画像データに基づいて複数の画素２０に対する電圧印加が開始される（ステップＳ１２）。
【００７０】
即ち、図８に示すように、コントローラー１０は、階調を白色から黒色に変化させるべき、本体画像部分Ｒｂ（即ち、輪郭部Ｒｂ１及び非輪郭部Ｒｂ２）に対応する画素２０の画素電極２１にデータ電位として高電位ＶＨが供給され、階調を変化させない（即ち、階調を白色のまま維持すべき）、背景画像部分Ｒｗに対応する画素２０の画素電極２１にデータ電位として基準電位ＶＭが供給されるように、駆動部を制御する。図８は、画像Ｐ２の背景画像部分Ｒｗ、輪郭部Ｒｂ１及び非輪郭部Ｒｂ２の各々について、対応する画素２０の画素電極２１の電位の変化（言い換えれば、供給されるデータ電位の変化）を示すタイミングチャートである。なお、図８では、本体画像部分Ｒｂ（即ち、輪郭部分Ｒｂ１及び非輪郭部分Ｒｂ２）に対応する画素２０の画素電極２１にデータ電位として高電位ＶＨが供給され始める時点は、時点ｔ０として示されている。
【００７１】
図５において、画像データに基づいて複数の画素２０に対する電圧印加が開始された（ステップＳ１２）後、この電圧印加の開始から所定時間Ｔ１が経過したか否かが判定される（ステップＳ１３）。即ち、コントローラー１０は、本体画像部分Ｒｂ（即ち、輪郭部分Ｒｂ１及び非輪郭部分Ｒｂ２）に対応する画素２０の画素電極２１にデータ電位として高電位ＶＨを供給し始めてから（即ち、図８における時点ｔ０から）所定時間Ｔ１が経過したか否かを判定する。
【００７２】
所定時間Ｔ１が経過していないと判定された場合には（ステップＳ１３：Ｎｏ）、画像データに基づく複数の画素２０に対する電圧印加が継続される。
【００７３】
所定時間Ｔ１が経過したと判定された場合には（ステップＳ１３：Ｙｅｓ）、コントローラー１０は、輪郭部Ｒｂ１の電圧印加を終了する（ステップＳ１４）。
【００７４】
即ち、図８に示すように、コントローラー１０は、本体画像部分Ｒｂ（即ち、輪郭部Ｒｂ１及び非輪郭部Ｒｂ２）に対応する画素２０の画素電極２１にデータ電位として高電位ＶＨが供給され始めてから（即ち、図８における時点ｔ０から）所定時間Ｔ１が経過した時点ｔ１で、輪郭部Ｒｂ１に供給されるデータ電位を高電位ＶＨから基準電位ＶＭに切り換える。これにより、輪郭部Ｒｂ１に対応する画素２０における画素電極２１及び対向電極２２間には電圧がほとんど或いは全く印加されない状態となる。なお、この際、非輪郭部Ｒｂ２の電圧印加は継続される、即ち、非輪郭部Ｒｂ２に対応する画素２０の画素電極２１に供給されるデータ電位は、高電位ＶＨのまま維持される。
【００７５】
次に、図５において、輪郭部Ｒｂ１の電圧印加の終了から所定時間Ｔ２が経過したか否かが判定される（ステップＳ１５）。即ち、コントローラー１０は、輪郭部Ｒｂ１の電圧印加の終了から（即ち、図８における時点ｔ１から）所定時間Ｔ２が経過したか否かを判定する。
【００７６】
所定時間Ｔ２が経過していないと判定された場合には（ステップＳ１５：Ｎｏ）、非輪郭部Ｒｂ２の電圧印加が継続される。
【００７７】
所定時間Ｔ２が経過したと判定された場合には（ステップＳ１５：Ｙｅｓ）、コントローラー１０は、非輪郭部Ｒｂ２の電圧印加を終了する（ステップＳ１６）。
【００７８】
即ち、図８に示すように、コントローラー１０は、輪郭部Ｒｂ１の電圧印加を終了した時点（言い換えれば、輪郭部Ｒｂ１に供給されるデータ電位を高電位ＶＨから基準電位ＶＭに切り換えた時点）である時点ｔ１から所定時間Ｔ２経過した時点ｔ２で、非輪郭部Ｒｂ２に供給されるデータ電位を高電位ＶＨから基準電位ＶＭに切り換える。これにより、非輪郭部Ｒｂ２に対応する画素２０における画素電極２１及び対向電極２２間には電圧がほとんど或いは全く印加されない状態となる。
【００７９】
このように、本実施形態では、表示部３に表示された画像を画像Ｐ１から画像Ｐ２に書き換える際、本体画像部分Ｒｂの輪郭部Ｒｂ１に対応する画素２０の画素電極２１に所定時間Ｔ１だけデータ電位として高電位ＶＨが供給され、本体画像部分Ｒｂの非輪郭部Ｒｂ２に対応する画素２０の画素電極２１に所定時間Ｔ１と所定時間Ｔ２とを合計した時間だけデータ電位として高電位ＶＨが供給される。
【００８０】
即ち、本実施形態では特に、コントローラー１０は、本体画像部分Ｒｂの輪郭部Ｒｂ１に対応する画素２０のほうが、本体画像部分Ｒｂの非輪郭部Ｒｂ２に対応する画素２０よりも、画素電極２１及び対向電極２２間に電圧が印加される印加時間（即ち、画素電極２１にデータ電位として高電位ＶＨが供給される時間）が小さくなるように、駆動部を制御する。
【００８１】
ここで、例えば仮に、何らの対策も施さず、本体画像部分Ｒｂの輪郭部Ｒｂ１と非輪郭部Ｒｂ２とで画素電極２１及び対向電極２２間に電圧が印加される印加時間が同じである場合、例えば、輪郭部Ｒｂ１及び非輪郭部Ｒｂ２のいずれに対応する画素２０における画素電極２１及び対向電極２２間にも、所定時間Ｔ１と所定時間Ｔ２とを合計した時間だけ電圧が印加される場合には、本体画像部分Ｒｂの輪郭部Ｒｂ１に対応する一の画素２０における画素電極２１及び対向電極２２間に電圧が印加されることにより生じる電界が、該一の画素２０と隣り合う、背景画像部分Ｒｗに対応する他の画素２０（即ち、階調を白色のままで変化させない画素２０であり、電圧が印加されない画素２０）における画素電極２１及び対向電極２２間の一部にも広がってしまうことにより、該他の画素２０の階調が変化してしまうおそれがある。このため、例えば表示部３に表示すべき画像よりも輪郭の広い画像が表示されてしまうなど、表示すべき画像が適切に表示されないおそれがある。
【００８２】
しかるに本実施形態によれば、本体画像部分Ｒｂの輪郭部Ｒｂ１に対応する画素２０における画素電極２１及び対向電極２２間に電圧が印加される印加時間（本実施形態では、時間Ｔ１）は、本体画像部分Ｒｂの非輪郭部Ｒｂ２に対応する画素２０における画素電極２１及び対向電極２２間に電圧が印加される印加時間（本実施形態では、時間Ｔ１と時間Ｔ２とを合計した時間）よりも小さい（即ち、短い）ので、本体画像部分Ｒｂの輪郭部Ｒｂ１に対応する画素２０における画素電極２１及び対向電極２２間に電圧が印加されることにより生じる電界が、背景画像部分Ｒｗに対応する画素２０の画素電極２１及び対向電極２２間に広がることにより背景画像部分Ｒｗに対応する画素２０の階調が変化してしまうことを抑制或いは防止できる。よって、例えば、本体画像部分Ｒｂの輪郭が広がったような画像が表示されてしまうこと（即ち、画像の広がりが発生すること）を抑制或いは防止できる。したがって、高品質な画像を表示することができる。
【００８３】
以上説明したように、本実施形態によれば、本体画像部分Ｒｂの輪郭部Ｒｂ１に対応する画素２０に生じる電界が、背景画像部分Ｒｗに対応する画素に広がることを抑制でき、背景画像部分Ｒｗに対応する画素２０の階調が変化してしまうことを抑制或いは防止できる。よって、例えば画像の広がりを抑制でき、高品質な画像を表示することが可能となる。
【００８４】
なお、本実施形態では、画像Ｐ２の本体画像部分Ｒｂについての輪郭部及び非輪郭部の抽出（ステップＳ１１）が、コントローラー１０によって行われる例を挙げたが、この輪郭部及び非輪郭部の抽出は、画像Ｐ２の画像データを電気泳動表示装置１に供給する例えばコンピュータ等の外部の装置によって行われてもよい。即ち、外部の装置によって設定された輪郭部Ｒｂ１及び非輪郭部Ｒｂ２の画像データに基づいて、複数の画素２０に対する電圧印加が行われてもよい。
【００８５】
＜第２実施形態＞
第２実施形態に係る電気泳動表示装置について、図９及び図１０を参照して説明する。以下では、前述した第１実施形態と同様に、表示部３に表示される画像が、図４に示した画像Ｐ１から画像Ｐ２に書き換えられる場合を例にとりながら、第２実施形態に係る電気泳動表示装置について説明する。
【００８６】
第２実施形態に係る電気泳動表示装置は、表示部３に表示される画像を画像Ｐ１から画像Ｐ２に書き換える際、輪郭部Ｒｂ１に対応する画素２０の画素電極２１及び対向電極２２間に印加される電圧が、非輪郭部Ｒｂ２に対応する画素２０の画素電極２１及び対向電極２２間に印加される電圧よりも小さい点で、前述した第１実施形態に係る電気泳動表示装置１と異なり、その他の点については、前述した第１実施形態に係る電気泳動表示装置１と概ね同様に構成されている。
【００８７】
図９は、第２実施形態における、表示部３に表示される画像を、画像Ｐ１から画像Ｐ２に書き換える画像書き換えの流れを示すフローチャートである。なお、図９において、図５を参照して前述した第１実施形態に係るステップと同様のステップに同一のステップ番号を付し、それらの説明は適宜省略する。
【００８８】
図９において、まず、画像データがフレームメモリー２１０に格納され（ステップＳ１０）、画像Ｐ２の本体画像部分Ｒｂについて輪郭部Ｒｂ１及び非輪郭部Ｒｂ２が抽出される（ステップＳ１１）。
【００８９】
次に、電圧を印加すべき画素２０（即ち、本体画像部分Ｒｂに対応する画素２０、つまり、階調を白色から黒色へ変化させるべき画素２０）であって、これから電圧を印加しようとする画素２０が輪郭部Ｒｂ１に対応する画素２０であるか否かが判定される（ステップＳ２２）。即ち、コントローラー１０は、これから電圧を印加しようとする画素２０が、輪郭部Ｒｂ１と非輪郭部Ｒｂ２とのいずれに対応するかを判定する（ステップＳ２２）。
【００９０】
輪郭部Ｒｂ１に対応する画素２０であると判定された場合には（ステップＳ２２：Ｙｅｓ）、輪郭部用電圧で電圧の印加が開始され（ステップＳ２３）、輪郭部Ｒｂ１に対応する画素２０でない（即ち、非輪郭部Ｒｂ２に対応する画素２０である）と判定された場合には（ステップＳ２２：Ｎｏ）、非輪郭部用電圧で電圧の印加が開始される（ステップＳ２４）。
【００９１】
即ち、図１０に示すように、コントローラー１０は、輪郭部Ｒｂ１に対応する画素２０の画素電極２１にデータ電位として輪郭部用高電位ＶＨ１が供給され、非輪郭部Ｒｂ２に対応する画素２０の画素電極２１にデータ電位として非輪郭部用高電位ＶＨ２が供給されるように、駆動部を制御する。図１０は、第２実施形態における、画像Ｐ２の背景画像部分Ｒｗ、輪郭部Ｒｂ１及び非輪郭部Ｒｂ２の各々について、対応する画素２０の画素電極２１の電位の変化（言い換えれば、供給されるデータ電位の変化）を示すタイミングチャートである。なお、図１０では、本体画像部分Ｒｂ（即ち、輪郭部分Ｒｂ１及び非輪郭部分Ｒｂ２）に対応する画素２０の画素電極２１にデータ電位として輪郭部用高電位ＶＨ１或いは非輪郭用高電位ＶＨ２が供給され始める時点は、時点ｔ２０として示されている。ここで、輪郭部用高電位ＶＨ１及び非輪郭部用高電位ＶＨ２は、いずれも基準電位ＶＭよりも高い電位である。また、輪郭部用高電位ＶＨ１は、非輪郭部用高電位ＶＨ２よりも低い電位である。即ち、輪郭部Ｒｂ１に対応する画素２０における画素電極２１及び対向電極２２間に印加される輪郭部用電圧は、非輪郭部Ｒｂ２に対応する画素２０における画素電極２１及び対向電極２２間に印加される非輪郭部用電圧よりも低い。
【００９２】
図９において、本体画像部分Ｒｂ（即ち、輪郭部分Ｒｂ１及び非輪郭部分Ｒｂ２）に対応する画素２０に対する電圧印加が開始された（ステップＳ２３及びＳ２４）後、この電圧印加の開始から所定時間Ｔ３が経過したか否かが判定される（ステップＳ２５）。即ち、コントローラー１０は、本体画像部分Ｒｂ（即ち、輪郭部分Ｒｂ１及び非輪郭部分Ｒｂ２）に対応する画素２０の画素電極２１にデータ電位として輪郭部用高電位ＶＨ１及び非輪郭部用高電位ＶＨ２を供給し始めてから（即ち、図１０における時点ｔ２０から）所定時間Ｔ３が経過したか否かを判定する。
【００９３】
所定時間Ｔ３が経過していないと判定された場合には（ステップＳ２５：Ｎｏ）、本体画像部分Ｒｂ（即ち、輪郭部分Ｒｂ１及び非輪郭部分Ｒｂ２）に対応する画素２０に対する電圧印加が継続される。
【００９４】
所定時間Ｔ３が経過したと判定された場合には（ステップＳ２５：Ｙｅｓ）、コントローラー１０は、本体画像部分Ｒｂ（即ち、輪郭部分Ｒｂ１及び非輪郭部分Ｒｂ２）に対応する画素２０に対する電圧印加を終了する（ステップＳ２６）。
【００９５】
即ち、図１０に示すように、コントローラー１０は、本体画像部分Ｒｂ（即ち、輪郭部Ｒｂ１及び非輪郭部Ｒｂ２）に対応する画素２０の画素電極２１にデータ電位として輪郭部用高電位ＶＨ１及び非輪郭部用高電位ＶＨ２が供給され始めてから（即ち、図１０における時点ｔ２０から）所定時間Ｔ３が経過した時点ｔ２１で、輪郭部Ｒｂ１に供給されるデータ電位を輪郭部用高電位ＶＨ１から基準電位ＶＭに切り換えるとともに、非輪郭部Ｒｂ２に供給されるデータ電位を非輪郭部用高電位ＶＨ２から基準電位ＶＭに切り換える。これにより、輪郭部Ｒｂ１に対応する画素２０における画素電極２１及び対向電極２２間には電圧がほとんど或いは全く印加されない状態となる。
【００９６】
このように、本実施形態では、表示部３に表示された画像を画像Ｐ１から画像Ｐ２に書き換える際、本体画像部分Ｒｂの輪郭部Ｒｂ１に対応する画素２０の画素電極２１に所定時間Ｔ３だけデータ電位として、非輪郭部用高電位ＶＨ１よりも低い輪郭部用高電位ＶＨ１が供給され、本体画像部分Ｒｂの非輪郭部Ｒｂ２に対応する画素２０の画素電極２１に所定時間Ｔ３だけデータ電位として非輪郭部用高電位ＶＨ２が供給される。
【００９７】
即ち、本実施形態では特に、コントローラー１０は、本体画像部分Ｒｂの輪郭部Ｒｂ１に対応する画素２０のほうが、本体画像部分Ｒｂの非輪郭部Ｒｂ２に対応する画素２０よりも、画素電極２１及び対向電極２２間に印加される電圧の大きさが小さくなるように、駆動部を制御する。
【００９８】
よって、例えば仮に、何らの対策も施さず、本体画像部分Ｒｂの輪郭部Ｒｂ１と非輪郭部Ｒｂ２とで画素電極２１及び対向電極２２間に印加される電圧の大きさが同じである場合、例えば、輪郭部Ｒｂ１及び非輪郭部Ｒｂ２のいずれに対応する画素２０における画素電極２１及び対向電極２２間にも、所定時間Ｔ３だけ非輪郭部用高電位ＶＨ２と基準電位ＶＭとの電位差（即ち、電圧）が印加される場合と比較して、本体画像部分Ｒｂの輪郭部Ｒｂ１に対応する画素２０における画素電極２１及び対向電極２２間に電圧が印加されることにより生じる電界が、背景画像部分Ｒｗに対応する画素２０における画素電極２１及び対向電極２２間に広がることにより背景画像部分Ｒｗに対応する画素２０の階調が変化してしまうことを抑制或いは防止できる。よって、例えば、本体画像部分Ｒｂの輪郭が広がったような画像が表示されてしまうことを抑制或いは防止できる。したがって、高品質な画像を表示することができる。
【００９９】
＜第３実施形態＞
第３実施形態に係る電気泳動表示装置について、図１１及び図１２を参照して説明する。以下では、表示部３に表示される画像が、白色のみからなる全白画像から、白色を有する背景画像部分Ｒｗと黒色、濃い灰色及び薄い灰色を有する本体画像部分Ｒｂとを有する４階調画像に書き換えられる場合を例にとりながら、第３実施形態に係る電気泳動表示装置について説明する。また、本実施形態では、黒色、濃い灰色、薄い灰色及び白色は、それぞれ、階調値として「１」、「２」、「３」及び「４」が設定されている。即ち、黒色の階調値は「１」であり、濃い灰色の階調値は「２」であり、薄い灰色の階調値は「３」であり、白色の階調値は「４」である。
【０１００】
図１１は、書き換え後の４階調画像の一部に対応する画素２０の階調の一例を示す模式図である。
【０１０１】
図１１において、画素２０Ｒｗは、背景画像部分Ｒｗに対応する画素２０であり、表示部３に表示される画像が全白画像から４階調画像に書き換えられる際、階調が白色（即ち、階調値が「４」の階調）のままで変化しない（即ち、階調を白色のまま維持すべき）画素である。画素２０Ｒｂ１＿１は、輪郭部Ｒｂ１に対応する画素２０のうち、表示部３に表示される画像が全白画像から４階調画像に書き換えられる際、階調が白色から黒色（即ち、階調値が「１」の階調）に変化すべき画素２０である。画素２０Ｒｂ１＿２は、輪郭部Ｒｂ１に対応する画素２０のうち、表示部３に表示される画像が全白画像から４階調画像に書き換えられる際、階調が白色から濃い灰色（即ち、階調値が「２」の階調）に変化すべき画素２０である。画素２０Ｒｂ１＿３は、輪郭部Ｒｂ１に対応する画素２０のうち、表示部３に表示される画像が全白画像から４階調画像に書き換えられる際、階調が白色から薄い灰色（即ち、階調値が「３」の階調）に変化すべき画素２０である。
【０１０２】
第３実施形態に係る電気泳動表示装置は、基本的には、前述した第１実施形態に係る電気泳動表示装置と概ね同様に構成されており、コントローラー１０が、本体画像部分Ｒｂの輪郭部Ｒｂ１に対応する画素２０のほうが、本体画像部分Ｒｂの非輪郭部Ｒｂ２に対応する画素２０よりも、画素電極２１及び対向電極２２間に電圧が印加される時間（以下「電圧印加時間」と適宜称する）が小さくなるように、駆動部を制御する。
【０１０３】
本実施形態では特に、輪郭部Ｒｂ１に対応する画素２０に表示すべき階調（即ち、黒色、濃い灰色及び薄い灰色）と、背景画像部分Ｒｗの階調（即ち、白色）との階調差（即ち、階調値の差）に基づいて、輪郭部Ｒｂ１に対応する画素２０における画素電極２１及び対向電極２２間に電圧を印加する電圧印加時間を決定する。具体的には、コントローラー１０は、図１２に示すような、階調差と電圧印加時間とが対応づけられた参照テーブル（即ち、ルックアップテーブル）９１０を有しており、この参照テーブル９１０を参照することにより、輪郭部Ｒｂ１に対応する画素２０についての電圧印加時間を決定する。
【０１０４】
図１２は、本実施形態に係る、階調差と電圧印加時間とが対応づけられた参照テーブルを概念的に示す概念図である。
【０１０５】
図１２に示すように、参照テーブル９１０には、階調差が「１」である場合の電圧印加時間として時間Ｔ１１が設定され、階調差が「２」である場合の電圧印加時間として時間Ｔ１１よりも短い時間Ｔ１２が設定され、階調差が「３」である場合の電圧印加時間として時間Ｔ１２よりも短い時間Ｔ１３が設定されている。即ち、参照テーブル９１０には、階調差が大きいほど電圧印加時間が短くなるように、階調差と電圧印加時間とが対応づけられている。よって、コントローラー１０は、輪郭部Ｒｂ１に対応する画素２０に表示すべき階調と、背景画像部分Ｒｗの階調（即ち、白色）との階調差が大きいほど、輪郭部Ｒｂ１に対応する画素２０における画素電極２１及び対向電極２２間に電圧を印加する印加時間が短くなるように、駆動部を制御する。
【０１０６】
したがって、３階調画像として表示される本体画像部分Ｒｂの輪郭部Ｒｂ１に対応する画素２０（即ち、画素２０Ｒｂ１＿１、２０Ｒｂ１＿２、２０Ｒｂ１＿３）に生じる電界が、背景画像部分Ｒｗに対応する画素２０（即ち、画素２０Ｒｗ）に広がることを抑制でき、背景画像部分Ｒｗに対応する画素２０の階調が変化してしまうことを抑制或いは防止できる。
【０１０７】
詳しくは、本体画像部分Ｒｂが複数の階調からなる場合においては、本体画像部分Ｒｂの書き込みの際、背景画像部分Ｒｗと本体画像部分Ｒｂとの階調差が大きい画素２０ほど書き換えに長時間の電圧印加を必要とする。このため、本体画像部分Ｒｂの輪郭部Ｒｂ１のうち階調差が大きい部分に対応する画素２０ほど、電界が背景画像部分Ｒｗの画素２０に広がりやすくなってしまう。このような問題に対し、本実施形態のように、輪郭部Ｒｂ１のうち階調差が大きい部分に対応する画素２０ほど電圧印加時間が短くなるように制御することで、背景画像部分Ｒｗと本体画像部分Ｒｂ（輪郭部Ｒｂ１）との階調差によらず一様に電界の広がりを抑制することができる。したがって、高品位な多階調画像を表示することが可能となる。
【０１０８】
なお、輪郭部Ｒｂ１に対応する画素２０に表示すべき階調（即ち、黒色、濃い灰色及び薄い灰色）と、背景画像部分Ｒｗの階調（即ち、白色）との階調差（即ち、階調値の差）に基づいて、輪郭部Ｒｂ１に対応する画素２０における画素電極２１及び対向電極２２間に印加する印加電圧の大きさを決定してもよい。具体的には、コントローラー１０が、階調差が大きいほど印加電圧が小さくなるように、階調差と印加電圧とが対応づけられた参照テーブルを有しており、この参照テーブルを参照することにより、輪郭部Ｒｂ１に対応する画素２０における画素電極２１及び対向電極２２間に印加する電圧の大きさを決定してもよい。
【０１０９】
＜電子機器＞
次に、前述した電気泳動表示装置を適用した電子機器について、図１３及び図１４を参照して説明する。以下では、前述した電気泳動表示装置を電子ペーパー及び電子ノートに適用した場合を例にとる。
【０１１０】
図１３は、電子ペーパー１４００の構成を示す斜視図である。
【０１１１】
図１３に示すように、電子ペーパー１４００は、前述した実施形態に係る電気泳動表示装置を表示部１４０１として備えている。電子ペーパー１４００は可撓性を有し、従来の紙と同様の質感及び柔軟性を有する書き換え可能なシートからなる本体１４０２を備えて構成されている。
【０１１２】
図１４は、電子ノート１５００の構成を示す斜視図である。
【０１１３】
図１４に示すように、電子ノート１５００は、図１３で示した電子ペーパー１４００が複数枚束ねられ、カバー１５０１に挟まれているものである。カバー１５０１は、例えば外部の装置から送られる表示データを入力するための表示データ入力手段（図示せず）を備える。これにより、その表示データに応じて、電子ペーパーが束ねられた状態のまま、表示内容の変更や更新を行うことができる。
【０１１４】
前述した電子ペーパー１４００及び電子ノート１５００は、前述した実施形態に係る電気泳動表示装置を備えるので、高品質な画像表示を行うことが可能である。
【０１１５】
なお、これらの他に、腕時計、携帯電話、携帯用オーディオ機器などの電子機器の表示部に、前述した本実施形態に係る電気泳動表示装置を適用することができる。
【０１１６】
なお、本発明は、電気泳動表示装置のほか、電子粉流体が用いられた表示装置にも適用することが可能である。
【０１１７】
本発明は、上述した実施形態に限られるものではなく、特許請求の範囲及び明細書全体から読み取れる発明の要旨或いは思想に反しない範囲で適宜変更可能であり、そのような変更を伴う電気光学装置の制御方法、電気光学装置の制御装置、電気光学装置、及び電子機器もまた本発明の技術的範囲に含まれるものである。
【０１１８】
＜変形例１＞
上記各実施形態では、白色の背景画像部分Ｒｗに黒色の本体画像部分Ｒｂを表示する態様について説明したが、これに限定する趣旨ではなく、黒色の背景画像部分に白色の本体画像部分を表示する態様であってもよい。この場合、黒色の画素２０を白色に書き換えるためには、画素電極２１に対して、対向電極２２の電位（例えば基準電位ＶＭ）より低い電位（例えば低電位ＶＬ）を供給する。ここで、輪郭部の画素２０から隣り合う画素２０への電界の広がりを抑制するために輪郭部の画素２０への印加電圧の大きさを制御する際には、コントローラー１０は、本体画像部分の輪郭部に対応する画素２０の画素電極２１にデータ電位として輪郭部用低電位ＶＬ１が供給され、非輪郭部に対応する画素２０の画素電極２１にデータ電位として非輪郭部用低電位ＶＬ２が供給されるように、駆動部を制御する。ここで、輪郭部用低電位ＶＬ１は基準電位ＶＭより低い電位であり、非輪郭部用低電位ＶＬ２は輪郭部用低電位ＶＬ１より低い電位である。このようにすれば、黒色の背景画像部分に白色の本体画像部分を表示する態様においても、輪郭部に対応する画素２０における画素電極２１及び対向電極２２間に電圧が印加されることにより生じる電界が、背景画像部分に対応する画素２０における画素電極２１及び対向電極２２間に広がることにより背景画像部分に対応する画素２０の階調が変化してしまうことを抑制或いは防止できる。
【０１１９】
＜変形例２＞
上記第１、第３実施形態では、輪郭部Ｒｂ１の画素２０における電圧印加時間を、非輪郭部Ｒｂ２の画素２０における電圧印加時間より短くするために、輪郭部Ｒｂ１の画素に供給される単一の電圧パルスの幅を相対的に小さくする態様で説明したが、これに限定する趣旨ではない。他の例としては、画像Ｐ１から画像Ｐ２への書き換えを、複数のフレーム期間を用いて行うこととし、輪郭部Ｒｂ１の画素２０に電圧を印加するフレーム期間の数を、非輪郭部Ｒｂ２の画素２０に電圧を印加するフレーム期間の数より少なくする態様とすることもできる。ここで、フレーム期間とは、表示部３に含まれるすべての走査線４０が一回ずつ選択される期間である。このような態様によっても、輪郭部Ｒｂ１の画素２０における電圧印加時間を、非輪郭部Ｒｂ２の画素２０における電圧印加時間より短くすることができる。
【０１２０】
＜変形例３＞
上記各実施形態及び各変形例では、白色粒子８２が負に帯電し、黒色粒子８３が正に帯電している例で説明したが、白色粒子８２が正に帯電し、黒色粒子８３が負に帯電していてもよい。また、電気泳動素子２３は、マイクロカプセル８０を有する構成に限られず、隔壁によって仕切られた空間に電気泳動分散媒と電気泳動粒子が含まれる構成であってもよい。また、電気光学装置として電気泳動素子２３を有するものを例に説明したが、これに限定する趣旨ではない。電気光学装置は、ある画素に電圧を印加することにより電界が隣り合う画素にまで影響し得る表示素子を備えるものであればどのようなものであってもよく、例えば電子粉流体を用いた電気光学装置であってもよい。
【符号の説明】
【０１２１】
３…表示部、１０…コントローラー、２０…画素、２１…画素電極、２２…対向電極、２４…画素スイッチング用トランジスター、２８…素子基板、２９…対向基板、４０…走査線、５０…データ線、６０…走査線駆動回路、７０…データ線駆動回路、８２…白色粒子、８３…黒色粒子、２１０…フレームメモリー、２２０…共通電位供給回路。
【図１】
0005948730.tif 000002
【図２】
0005948730.tif 000003
【図３】
0005948730.tif 000004
【図４】
0005948730.tif 000005
【図５】
0005948730.tif 000006
【図６】
0005948730.tif 000007
【図７】
0005948730.tif 000008
【図８】
0005948730.tif 000009
【図９】
0005948730.tif 000010
【図１０】
0005948730.tif 000011
【図１２】
0005948730.tif 000012
【図１３】
0005948730.tif 000013
【図１４】
0005948730.tif 000014
【図１１】
0005948730.tif 000015